(57)【要約】【課題】  複数のフォルダやアイコンを一覧表示させる際、簡単な操作により、好みに応じた配列方向に表示できるようにする。【解決手段】  携帯電話機１００は、表示部１４に待ち受け画面が表示されている時に、上下左右方向に押下可能な十字キー１６２の上下部分が押されると、表示画面１４１に複数のフォルダやアイコンを縦配列で一覧表示させ、十字キー１６２の左右部分が押されると、表示画面１４１に複数のフォルダやアイコンを横配列で一覧表示させる。【選択図】  図３
2010199693.tif 000002
【特許請求の範囲】
【請求項１】
各種コンテンツを表す複数の画像を表示する表示手段と、
上下左右の方向性について入力可能な入力手段と、
前記入力手段の入力により前記表示手段に前記複数の画像を一覧表示する際に、前記入力手段によって入力された方向性により前記複数の画像を縦配列あるいは横配列で一覧表示するように制御する制御手段と、を備えたことを特徴とする電子機器。
【請求項２】
前記制御手段は、前記入力手段から左右の方向性について入力されたとき、前記表示手段に前記複数の画像を横配列で一覧表示させ、前記入力手段から上下の方向性について入力されたとき、前記表示手段に前記複数の画像を縦配列で一覧表示させることを特徴とする請求項１に記載の電子機器。
【発明の詳細な説明】
【技術分野】
【０００１】
本発明は、電子機器の表示制御に関するものであり、特に、携帯電話機，携帯情報端末等の電子機器の表示画面にフォルダやアイコンを一覧表示させることができる電子機器に関するものである。
【背景技術】
【０００２】
携帯電話機等の電子機器は、様々な機能を有しており、それらの機能を使う際には、表示画面に各機能に対応するアイコンを一覧表示して、その中から選択できるようにしている。また、各種データを複数のフォルダに分けて保存し、それらのデータを使用する際には、各フォルダを一覧表示して、その中から選択できるようにしている。
【０００３】
このようなフォルダやアイコンの一覧表示を行える電子機器の従来例として、例えば、特許文献１（特開２００６−２４０９１号公報）に記載されている。この特許文献１に記載された携帯電話機では、フォルダを一覧表示する際にフォルダの配列が予め決められており、各フォルダを縦方向に配列させて表示することが示されている。
【先行技術文献】
【特許文献】
【０００４】
【特許文献１】特開２００６−２４０９１号公報（段落［００４１］、図６）
【発明の概要】
【発明が解決しようとする課題】
【０００５】
しかしながら、フォルダやアイコンを一覧表示する場合、ユーザによっては、フォルダやアイコンを縦方向に配列して表示する方が見易いという人もいれば、横方向に配列して表示する方が見易いという人もいる。そのため、上記従来の電子機器のように、フォルダやアイコンを、常に、予め決められた配列で表示するようにすると、ユーザによっては、表示の仕方に不満を感じる人が出てくるという問題点があった。
【０００６】
このような問題を解決するために、所定のキー操作、例えば、特定のキーを操作することにより、一覧表示させたフォルダやアイコンを、横方向に配列表示するか、縦方向に配列表示するかを選択する操作を行うことにより、一覧の表示方向を切り替えることも考えられる。しかしながら、一覧表示させるための操作に加えて、表示方向を切り替えるための操作を施すことは、キー操作が複数のステップになって操作が面倒である。
【０００７】
本願の発明者は上記の問題点を解消すべく種々検討を重ねた結果、携帯電話機等に設けられた十字キー１６２の上下部分を押すか左右部分を押すかの操作だけで、複数のフォルダ、アイコンを表示画面１４１に縦配列で一覧表示させるか、横配列で一覧表示させるかを選択して表示させるようになせば、上記の問題点を解消し得ることを想到し本発明を完成するに至ったものである。
【０００８】
すなわち、本発明は、上記の問題点を解消することを課題とし、複数のフォルダやアイコンを一覧表示させる際、簡単な操作により、好みに応じた配列方向に表示できるようにすることを目的とするものである。
【課題を解決するための手段】
【０００９】
前記課題を解決するため、本願の請求項１に係る発明は、各種コンテンツを表す複数の画像を表示する表示手段（例えば下記実施例では、表示部１４に相当する）と、上下左右の方向性について入力可能な入力手段（例えば下記実施例では、十字キー１６２に相当する）と、前記入力手段の入力により前記表示手段に前記複数の画像を一覧表示する際に、前記入力手段によって入力された方向性により前記複数の画像を縦配列あるいは横配列で一覧表示するように制御する制御手段（例えば下記実施例では、表示方向決定部１１１に相当する）と、を備えたことを特徴とする。
【００１０】
また、本願の請求項２に係る発明は、請求項１に係る電子機器において、前記制御手段は、前記入力手段から左右の方向性について入力されたとき、前記表示手段に前記複数の画像を横配列で一覧表示させ、前記入力手段から上下の方向性について入力されたとき、前記表示手段に前記複数の画像を縦配列で一覧表示させることを特徴とする。
【発明の効果】
【００１１】
本願発明の電子機器は、次のような効果を奏する。すなわち、例えば、待ち受け画面が表示されている時に上下左右の方向性について入力可能な入力手段である十字キーの左右部分が押されると、その方向性により表示手段に複数のフォルダやアイコンといった各種コンテンツを表す画像を横配列で一覧表示させ、十字キーの上下部分が押されると、その方向性により表示手段に複数の画像を縦配列で一覧表示させるように構成されているので、簡単な操作により、好みに応じた配列方向にフォルダやアイコンを表示できるようになる。
【図面の簡単な説明】
【００１２】
【図１】本発明の実施例に係る携帯電話機の概略構成を示すブロック図である。
【図２】本発明の実施例に係る携帯電話機の操作面を示す図である。
【図３】本発明の実施例に係る携帯電話機が表示画面にフォルダ等を一覧表示した状態を示す図である。
【図４】本発明の実施例に係る携帯電話機が表示画面にフォルダ等を一覧表示するための処理を示すフローチャートである。
【発明を実施するための形態】
【００１３】
以下、本発明の具体例を実施例及び図面を用いて詳細に説明する。但し、以下に示す実施例は、本発明の技術思想を具体化するための携帯電話機を例示するものであって、本発明をこの携帯電話機に特定することを意図するものではなく、特許請求の範囲に含まれるその他の実施形態の電子機器にも等しく適用し得るものである。
【実施例】
【００１４】
図１は、本発明の実施例に係る携帯電話機の概略構成を示すブロック図である。携帯電話機１００は、図１のブロック図に示すように、通信部１、アンテナ２、ベースバンド部３、第１スピーカ４、増幅回路５，７，９、マイクロホン６、第２スピーカ８、切替部１０、制御部１１、ＲＯＭ１２、ＲＡＭ１３、表示部１４、バイブレータ１５、入力部１６、開閉検出部１７などを備えて構成されている。
【００１５】
通信部１は、アンテナ２と接続されており、アンテナ２を介して基地局からの電波を受信し、アンテナ２を介してベースバンド部３からの信号を基地局へ発信する。ベースバンド部３は、通信部１と接続されており、ＣＤＭＡ処理回路３１と、音声コーデック３２と、を有している。
【００１６】
ここで、ＣＤＭＡ処理回路３１は、符号分割多元接続、スクランブル、誤り制御、タイミング検出を行う。また、音声コーデック３２は、音声を圧縮（符号化）、伸張（復号化）したり、アナログとデジタルの変換を行ったり、内部の増幅回路（図示省略）により受話音量やマイクロホンの感度を変更する。
【００１７】
第１スピーカ４は、増幅回路５で増幅されたベースバンド部３の電気信号を音声に変換する。この第１スピーカ４は、ユーザの耳にあてて通話に使用される。マイクロホン６は、通話に使用され、音声を電気信号に変換する。マイクロホン６により出力された電気信号は、増幅回路７で増幅されてベースバンド部３に出力される。
【００１８】
第２スピーカ８は、増幅回路９で増幅されたベースバンド部３の電気信号を音声に変換する。この第２スピーカ８は、受話音を周囲の人にも聞かせるための拡声用のスピーカである。また、第２スピーカ８は、着信報知の鳴動も行う。
【００１９】
切替部１０は、ベースバンド部３と接続されるとともに、増幅回路５，７，９を介してそれぞれ第１スピーカ４、マイクロホン６、第２スピーカ８と接続されている。そして、ベースバンド部３との接続を、第１スピーカ４用の増幅回路５とマイクロホン６用の増幅回路７側にするか、あるいは拡声用の第２スピーカ８用の増幅回路９とマイクロホン６用の増幅回路７側にするかを切り替える。
【００２０】
制御部１１は、マイクロプロセッサからなる制御手段であり、ＲＯＭ１２及びＲＡＭ１３０と接続されており、ＲＯＭ１２に記憶されたシステムプログラムに基づきは各部を制御する。制御部１１は、通信部１、ベースバンド部３および切替部１０とそれぞれ接続されており、制御部１１の制御により上述した切替部１０による切り替えが行われる。また、制御部１１によりベースバンド部３の音声コーデック３２が制御され、音声コーデック３２により第１スピーカ４及び第２スピーカ８の音量やマイクロホン６の感度が変更される。
【００２１】
また、ＲＡＭ１３には、制御部１１の動作に必要な情報である携帯電話機１００の各種機能の設定フラグや、ユーザが入力する電話帳等の登録情報を記憶する。
【００２２】
表示部１４は、液晶パネルや有機ＥＬパネルなどから構成される表示手段であり、制御部１１と接続されている。表示部１４は、制御部１１の制御により、メニュー一覧画面、電話帳情報、電子メールといった各種視覚情報を表示する。なお、表示部１４は本発明の表示手段に相当する。バイブレータ１５は、制御部１１に接続されており、制御部１１の制御に基づき着信時に振動を発生させる。
【００２３】
入力部１６は、制御部１１に接続されており、電話番号等の入力を行うテンキー１６１、カーソル移動等に用いられる十字キー１６２、各種機能の設定を行う機能キー１６３の他に、発呼及び通話の開始等を操作する通話キー、通話の終了等を操作する終話キー、決定キー、クリアキー等を有している。なお、十字キー１６２は本発明の入力手段に相当する。
【００２４】
開閉検出部１７は、後述するようにスピーカ４や表示部１４が配設された第１の筐体（上部筐体２０１）と、マイクロホン６や入力部１６が配設された第２の筐体（下部筐体２０２）とを回動開閉自在に結合するヒンジ機構２０２の開閉状態を検出し、検出結果を制御部１１に出力する。
【００２５】
また、本実施例の制御部１１は、表示方向決定部１１１を備えている。この表示方向決定部１１１は、表示部１４の表示画面が待ち受け状態において入力部１６の十字キー１６２の押下された方向に応じて、待ち受け画面から移行して表示されるメニュー一覧画面におけるフォルダやアイコンの配列を縦方向あるいは横方向に決定する。制御部１１は、表示方向決定部１１１が決定した配列方向に基づいて、メニュー一覧におけるフォルダやアイコンを表示部１４に表示するように制御する。なお、表示方向決定部１１１は本発明の制御手段に相当する。
【００２６】
図２は、本発明の実施例に係る携帯電話機の外観を示す図である。携帯電話機１０は、ヒンジ機構２０３により回動開閉自在に結合された上部筐体２０１と下部筐体２０２からなり、図２では、通話時あるいは設定操作時に２つの筐体が開いた状態を示す携帯電話機の外観を示している。
【００２７】
図２に示すように、上部筐体２０１には、スピーカ４と表示部１４とが設けられ、表示部１４の表示画面１４１には、待ち受け画面が表示される。下部筐体２０２には、入力部１６とマイクロホン６とが設けられている。入力部１６を形成する操作キー群には、テンキー１６１、十字（４方向）キー１６２および機能キー１６３が含まれている。
十字キー１６２は、表示画面上のカーソルを上下左右に移動させたり、表示部１４にフォルダやアイコンを一覧表示させたりするときに使用するもので、上下左右の方向を指示できるものであれば、文字通りの十字形であってもよいし、図２に示すように全体が円形になっていてもよい。
【００２８】
図３は、本発明の実施例に係る携帯電話機が表示画面にフォルダ等を一覧表示した状態を示す図である。携帯電話機１００においてフォルダやアイコンを一覧表示する場合、図２に示す待ち受け状態において、十字キー１６２を操作して行う。その際、十字キー１６２の上方向又は下方向を押すと、図３（ａ）または図３（ｂ）に示すメニュー一覧画面が表示される。また、十字キー１６２の左方向又は右方向を押すと、図３（ｃ）または図３（ｄ）に示すメニュー一覧画面が表示される。
【００２９】
図３（ａ）に示すように、メニュー一覧画面１４１ａには、メール、Ｗｅｂといった各フォルダからなるメニュー一覧の他、その上方に受信電波の電界強度のレベルを示すアンテナバー、バッテリの残量を示すバッテリアイコンとともに、時刻情報（９時３７分、火曜日）が表示されている。また、メニュー一覧画面１４１ａの下方には、十字キー１６２に割り当てられている操作内容を示すアイコンが表示されており、例えば、図２に示す十字キー１６２は、その左右キーがそれぞれ赤外線受信を指示するための赤外線受信キーとメニュー切り替えを指示するためのメニュー切替キーに割り当てられていることを示し、十字キー１６２のセンターキーがメニュー一覧の中から所望の項目を選択するための選択キーに割り当てられていることを示している。なお、各フォルダは縦方向に配列されて一覧表示されている。その際、フォルダの内容を示す文字列は横書きにする。
【００３０】
また、図３（ｂ）に示すように、メニュー一覧画面１４１ｂには、メール、電話帳といった各項目をアイコンで示したメニュー一覧の他、その上方に図３（ａ）と同じくアンテナバー、バッテリアイコン、時刻情報が表示されている。また、下方には図３（ａ）と同じく十字キー１６２に割り当てられている操作内容を示すアイコン（「選択」等」）が表示されている。なお、各アイコンは縦方向に配列されて一覧表示されている。また、表示すべきアイコンが多数あるときは、図３（ｂ）に示すように、アイコンを、第１列の上から下に順に配列していき、第１列が一杯になったらその隣の第２列に続けて表示していくようにしてもよい。
【００３１】
また、図３（ｃ）に示すように、メニュー一覧画面１４１ｃには、メール、Ｗｅｂといった各フォルダからなるメニュー一覧の他、その上方に図３（ａ）と同じくアンテナバー、バッテリアイコン、時刻情報が表示されている。また、下方には図３（ａ）と同じく十字キー１６２に割り当てられている操作内容を示すアイコン（「選択」等」）が表示されている。なお、各フォルダは横方向に配列されて一覧表示されている。その際、フォルダの内容を示す文字列は縦書きにする。
【００３２】
また、図３（ｄ）に示すように、メニュー一覧画面１４１ｄには、メール、電話帳といった各項目をアイコンで示したメニュー一覧の他、その上方に図３（ａ）と同じくアンテナバー、バッテリアイコン、時刻情報が表示されている。また、下方には図３（ａ）と同じく十字キー１６２に割り当てられている操作内容を示すアイコン（「選択」等」）が表示されている。なお、各アイコンは横方向に配列されて一覧表示されている。また、表示すべきアイコンが多数あるときは、図３（ｄ）に示すように、アイコンを、第１行の左から右（又は右から左）に順に配列していき、第１行が一杯になったらその下の第２行に続けて表示していくようにしてもよい。
【００３３】
次に、本発明に係る携帯電話機の表示動作について説明する。図４は、本発明の実施例に係る携帯電話機が表示画面にフォルダ等を一覧表示するための処理を示すフローチャートである。この処理は、制御部１１がＲＯＭに記憶されているシステムプログラムを実行することで実現される。
【００３４】
まず、ユーザが折り畳まれた携帯電話機筐体（上部筐体と下部筐体）を開くと、開閉検出部１７からの検出信号に応じて表示部１４に図２に示すような待ち受け画面が表示される。そして、ステップＳ４１において、待ち受け画面が表示されている状態で、制御部１１は十字キー１６２が押されたか否かを判定し、十字キー１６２が押下された場合にはステップＳ４２の処理に進み、十字キー１６２が押下されない場合には待ち受け状態を保つ。
【００３５】
次に、ステップＳ４２において、制御部１１の表示方向決定部１１１は、十字キー１６２の上下方向が押されたか、あるいは、左右方向が押されたかを判定する。上下方向の十字キーが押下された場合にはステップＳ４３の処理に進み、左右方向の十字キーが押下された場合にはステップＳ４４の処理に進む。
【００３６】
そして、ステップＳ４３では、表示画面１４１にフォルダやアイコンを縦方向に配列して一覧表示し（図４（ａ）あるいは図（ｂ））、処理を終了する。一方、ステップＳ４４では、表示画面１４１にフォルダやアイコンを横方向に配列して一覧表示し（図４（ｃ）あるいは図（ｄ））、処理を終了する。
【００３７】
以上説明したように本発明に係る携帯電話機によれば、待ち受け画面を表示している状態において十字キー１６２の上下部分を押すか左右部分を押すかの操作だけで、複数のフォルダ、アイコンを表示画面１４１に縦配列で一覧表示させるか、横配列で一覧表示させるかを選択して表示させることができる。
【００３８】
なお、上記実施例では、携帯電話機としてヒンジ機構により２つの筐体が結合された形態の折り畳み型携帯電話機について説明したが、携帯電話機はこれに限ることなく、その他の形態の携帯電話機に適用することも可能である。例えば、スライド型の携帯電話機やストレート型の携帯電話機であっても本発明は同様に適用可能である。
【００３９】
また、上記実施例では、本発明を携帯電話機に適用した場合で説明したが、本発明は、これに限定されず、上下方向と左右方向を指定できる十字キー相当の操作手段を備えたＰＤＡ（Ｐｅｒｓｏｎａｌ  Ｄｉｇｉｔａｌ  Ａｓｓｉｓｔａｎｔ）やＰＮＤ（Ｐｏｒｔａｂｌｅ  Ｎａｖｉｇａｔｉｏｎ  Ｄｅｖｉｃｅ）などの他の通信装置であってもよく、また、携帯音楽プレーヤや携帯ゲーム機などの一般的に通信機能を有しない他の電子機器であってもよい。
【符号の説明】
【００４０】
１００・・・・携帯電話機
１・・・・通信部
２・・・・アンテナ
３・・・・ベースバンド部
３１・・・・ＣＤＭＡ処理回路
３２・・・・音声コーデック
４・・・・第１スピーカ
５，７，９・・・・増幅回路
６・・・・マイクロホン
８・・・・第２スピーカ
１０・・・・切替部
１１・・・・制御部
１１１・・・・表示方向決定部
１２・・・・ＲＯＭ
１３・・・・ＲＡＭ
１４・・・・表示部
１４１・・・・表示画面
１５・・・・バイブレータ
１６・・・・入力部
１６１・・・・テンキー
１６２・・・・十字キー
１６３・・・・機能キー
１７・・・・開閉検出部
２０１・・・・上部筐体
２０２・・・・下部筐体
２０３・・・・ヒンジ機構
【図１】
2010199693.tif 000003
【図２】
2010199693.tif 000004
【図３】
2010199693.tif 000005
【図４】
2010199693.tif 000006